(57)【要約】【課題】接着剤、ステープル或いは粘着テープ等を使用せずに上面を容易に開閉することが可能で、収納物の出荷時の検査や取引時の外観評価等を容易に行う。【解決手段】包装用箱は、前記第一のフラップ６、６と第二のフラップ７、７とを箱の内側に折り曲げたとき、それらの両端の互いに重なり合う位置を谷とするＶ字形の切込８、８、１０、１０をそれぞれ前記第一のフラップ６、６と第二のフラップ７、７とに設け、前記第一のフラップ６、６の切込８、８より端縁側に第二のフラップ７、７の下に差し込まれるタブ状の突起９、９を設け、前記第二のフラップ７、７の切込１０、１０より折線側に第一のフラップ６、６の下に差し込まれるタブ状の突起１１、１１を設けている。【選択図】　　図１
2004042969.tif 000002
【特許請求の範囲】
【請求項１】
内部に収納物を収納する箱であって、その対向する一対の側面を構成する側パネル（１）、（１）と、箱の対向する一対の端面を構成する端パネル（２）、（２）とが折線を介して交互に連なり、最も端の側パネル（１）と端パネル（２）の側辺が互いに接合され、側パネル（１）、（１）と端パネル（２）、（２）の上辺及び／または下辺の折線から箱の底面及び／または上面を閉じる第一のフラップ（６）、（６）と第二のフラップ（７）、（７）とがそれぞれ延設され、対向する一対の第一のフラップ（６）、（６）と対向する一対の第二のフラップ（７）、（７）とを前後して箱の内側に折り曲げ、隣接する第一のフラップ（６）、（６）と第二のフラップ（７）、（７）との両端を互いに係合して箱の上面及び／または底面を閉じる包装用箱において、前記第一のフラップ（６）、（６）と第二のフラップ（７）、（７）とを箱の内側に折り曲げたとき、それらの両端の互いに重なり合う位置を谷とするＶ字形の切込（８）、（８）、（１０）、（１０）をそれぞれ前記第一のフラップ（６）、（６）と第二のフラップ（７）、（７）とに設け、前記第一のフラップ（６）、（６）の切込（８）、（８）より端縁側に第二のフラップ（７）、（７）の下に差し込まれるタブ状の突起（９）、（９）を設け、前記第二のフラップ（７）、（７）の切込（１０）、（１０）より折線側に第一のフラップ（６）、（６）の下に差し込まれるタブ状の突起（１１）、（１１）を設けたことを特徴とする包装用箱。
【請求項２】
第一のフラップ（６）、（６）のタブ状の突起（９）、（９）より先の端縁側の両側縁を斜めにカットした勾配縁（１２）、（１２）とし、第二のフラップ（７）、（７）の切込（１０）、（１０）より先の端縁側の両側縁を斜めにカットした勾配縁（１３）、（１３）としたことを特徴とする請求項１に記載の包装用箱。
【発明の詳細な説明】
【０００１】
【発明の属する技術分野】
本発明は、段ボール板等のブランクを折り曲げて作る箱状の包装用箱に関し、接着剤、ステープル或いは粘着テープ等を使用せずに簡単に箱の上面または底面を閉じることができる包装用箱に関する。
【０００２】
【従来の技術】
従来最も一般的な包装容器の一つとして、段ボール板等のブランクを折り曲げて作る箱状の包装用箱がある。例えば、ブランクを縦に平行な４本の折れ線で同じ方向に順次折り曲げ、その両端縁を接着やステープル止めすることにより、四角筒状の胴部を形成し、この胴部の下辺から延設した底フラップを内側に折り曲げて箱の下面と閉じ、胴部の上辺から延設した上フラップを内側に折り曲げて箱の上面を閉じる。
【０００３】
このような包装用箱では、箱の底面を閉じた状態で箱の内部に収納物を収納し、その後箱の上面を閉じるのが一般的である。箱の底面は、接着剤、ステープル或いは粘着テープ等を使用して収納物の重量に耐えることができるようにしっかりと閉じる。また、上面は搬送中に簡単に開かないようにやはり前記の接着剤、ステープル、粘着テープ或いは他の適宜の手段によって閉じる。
【０００４】
これに対して、箱の上面を閉じた後、箱の天地を逆にした状態で箱の底面側から収納物を収納し、その後箱の底面を閉じ、箱の天地を上下正しくして搬送するという形式の箱がある。このような箱としては、例えばネギやゴボウ等の長尺もの野菜の出荷用包装用箱がその例である。
【０００５】
このような包装用箱では、上面側のフラップを接着剤、ステープル或いは粘着テープ等で連結した状態で、箱の上面の中央部分が開いており、その周辺部のみが閉じられている。これにより、開いた中央部分から収納された野菜を見ることが出来、その太さや色等の姿や品質等の出荷時の外観検査や市場で取引前の外観評価等を行うことが出来る。長尺もの野菜であるため、箱の上面が開いていても、包装用箱の天地を逆にしたときに野菜がこぼれ落ちることが無い。
【０００６】
【発明が解決しようとしている課題】
前記のようなネギやゴボウ等の野菜を包装用箱に詰める箱詰め作業は、通常生産農家で行う。その後、箱詰めされた野菜は、生産者組合等の集荷場へ搬送され、そこで出荷検査と員数確認が行われたうえで市場に搬送される。市場では、セリ等の取引の際に、仲買人等により外観評価を受ける。
【０００７】
野菜を包装用箱に詰める箱詰め作業のとき、包装用箱の組立は出来るだけ簡易であることが好ましい。また、集荷場等での出荷検査や市場での外観評価の際には、包装用箱の上面を簡単に開いてその全体を見ることが出来、その後簡単に閉じることが出来るのが好ましい。
【０００８】
しかし、前述のように包装用箱の上面側のフラップを接着剤、ステープル或いは粘着テープ等で連結する場合、野菜の箱詰めの際に手数がかかり、包装用箱１個当たりに箱詰めする作業に多くの時間がかかるという課題がある。また、包装用箱の上面側のフラップを接着剤、ステープル或いは粘着テープ等で連結してしまうと、集荷場等での出荷時の外観検査や市場での外観評価の際に包装用箱の上面を開くことは出来ず、野菜を観察することが出来るのは包装用箱の上面の中央部分の開口部に限られるという問題もある。
【０００９】
本発明は、前記のような従来の段ボール箱等の包装用箱の課題に鑑み、接着剤、ステープル或いは粘着テープ等を使用せずに上面を容易に開閉することが可能で、収納物の出荷時の検査や取引時の外観評価等を容易に行うことが出来る包装用箱を提供することを目的とするものである。
【００１０】
【課題を解決するための手段】
本発明では、前記の目的を達成するため、包装用箱の上面または底面を閉じるため、対向する一対の側パネル１、１の折線と対向する一対の端パネル２、２の折線とからそれぞれ延設した第一のフラップ６、６と第二のフラップ７、７を前後して箱の内側に折り曲げる際に、隣接する第一のフラップ６、６と第二のフラップ７、７とを、それらの端で係合して固定出来るようにした。そのために、第一のフラップ６、６と第二のフラップ７、７の両端にそれぞれＶ字形の切込８、１０を設け、これらを係合すると共に、この切込８、１０に隣接するタブ状の突起９、１１をそれぞれ相手方のフラップ６、６、７、７の下に差し込むようにした。
【００１１】
より具体的に説明すると、本発明による包装用箱は、基本的には、対向する一対の側面を構成する側パネル１、１と、箱の対向する一対の端面を構成する端パネル２、２とが折線を介して交互に連なり、最も端の側パネル１と端パネル２の側辺が互いに接合され、側パネル１、１と端パネル２、２の上辺及び／または下辺の折線から箱の上面及び／または底面を閉じる第一のフラップ６、６と第二のフラップ７、７とがそれぞれ延設され、対向する一対の第一のフラップ６、６と対向する一対の第二のフラップ７、７とを前後して箱の内側に折り曲げ、隣接する第一のフラップ６、６と第二のフラップ７、７との両端を互いに係合して箱の上面及び／または底面を閉じるものである。
【００１２】
本発明では、このような包装用箱において、前記第一のフラップ６、６と第二のフラップ７、７とを箱の内側に折り曲げたとき、それらの両端の互いに重なり合う位置を谷とするＶ字形の切込８、８、１０、１０をそれぞれ前記第一のフラップ６、６と第二のフラップ７、７とに設け、前記第一のフラップ６、６の切込８、８より端縁側に第二のフラップ７、７の下に差し込まれるタブ状の突起９、９を設け、前記第二のフラップ７、７の切込１０、１０より折線側に第一のフラップ６、６の下に差し込まれるタブ状の突起１１、１１を設けている。
【００１３】
このような包装用箱において、その上面または底面を閉じる場合、前記第一のフラップ６、６のＶ字形の切込８、８と第二のフラップ７、７のＶ字形の切込１０、１０とを互いに係合すると共に、前記第一のフラップ６、６のタブ状の突起９、９を第二のフラップ７、７の下に差し込み、且つ前記第二のフラップ７、７のタブ状の突起１１、１１を第一のフラップ６、６の下に差し込む。こうすることにより、前記第一のフラップ６、６と第二のフラップ７、７とがその両端において隣接する他のフラップ６、６、７、７と互いに固定され、上面または底面の一部が閉じた状態となる。
【００１４】
特にこのような包装用箱において、第一のフラップ６、６のタブ状の突起９、９より先の端縁側の両側縁を斜めにカットした勾配縁１２、１２とし、第二のフラップ７、７の切込１０、１０より先の端縁側の両側縁を斜めにカットした勾配縁１３、１３とするとよい。
【００１５】
こうすることにより、まず箱の上面または底面を閉じる時は、第二のフラップ７、７を箱の内側に折り曲げた後、第一のフラップ６、６を箱の内側に折り曲げ、その両端部分を第二のフラップ７、７の両端部分に載せた状態で、第一のフラップ６、６の端縁側を下に押し下げると、第二のフラップ７、７の先端縁側も押し下げられる。これにより、第一のフラップ６、６の勾配縁１２、１２と第二のフラップ７、７の勾配縁１３、１３とが近づき、さらに合って、ついにはずれるため、第一のフラップ６、６の突起が第二のフラップ７、７の勾配縁１３、１３からその下に入る。その後、第一のフラップ６、６に加えていた力を除くと、第一のフラップ６、６と第二のフラップ７、７が自らの弾力で復元し、前記のような第一のフラップ６、６と第二のフラップ７、７の係合状態が自ずと形成され、箱の上面または底面が閉じられる。
【００１６】
他方、前記のように箱の上面または底面が閉じられた状態から開くとき時は、第二のフラップ７、７の端縁側を押し下げる。すると、第一のフラップ６、６の先端縁側も押し下げられため、前記と同様にして第二のフラップ７、７の勾配縁１３、１３と第一のフラップ６、６の勾配縁１２、１２とが近づき、さらに合って、ついにはずれるため、第一のフラップ６、６の突起が第二のフラップ７、７の勾配縁１３、１３から外れて、第一のフラップ６、６が自らの弾力で復帰する。その後、第二のフラップ６、６に加えていた力を除くと、第二のフラップ７、７も自らの弾力で復元し、前記のような第一のフラップ６、６と第二のフラップ７、７の係合状態が解除され、箱の上面または底面を開くことが出来る。
【００１７】
【発明の実施の形態】
次に、図面を参照しながら、本発明の実施の形態について、具体的且つ詳細に説明する。
図１は、本発明の一実施形態による一般的な包装用箱の本体のブランクの展開図である。この包装用箱のブランクは紙製の波状のシートからなる中芯をライナーでラミネートした段ボール板を使用する。段ボール板を図１に実線で示すように打ち抜くと共に、破線で示すように折れ線を入れることにより、組み立て前のブランクが出来上がる。
【００１８】
図１に示す包装用箱のブランクでは、矩形の側パネル１、１と端パネル２、２とが折れ線を介して交互に連なっている。それら側パネル１、１と端パネル２、２の高さは何れも同じであり、２つの側パネル１、１と端パネル２、２の幅はそれぞれ等しく、側パネル１、１と端パネル２、２とでは幅が異なっている。側パネル１、１と端パネル２、２の高さと幅は、その用途や収納物の大きさ等に応じて異なることは言うまでもない。
【００１９】
端にある側パネル１の側辺からは、折れ線を介して接合フラップ３が延設されており、端にある端パネル２には、そのような接合フラップは延設されていない。
側パネル１、１の下辺の折線からは、箱の底面側の第一のフラップ４、４が延設されている。この箱の底面側の第一のフラップ４、４の長さ（図１において左右の寸法）は、側パネル１、１の幅より若干狭く、またその高さ（図１において上下の寸法）は、端パネル２の幅の約１／２である。
【００２０】
端パネル２、２の下辺の折れ線からは箱の底面側の第二のフラップ５、５が延設されている。この箱の底面側の第二のフラップ５、５の長さ（図１において左右の寸法）は、端パネル２、２の幅より若干狭く、またその高さ（図１において上下の寸法）は、前記箱の底面側の第一のフラップ４、４と同じである。
【００２１】
側パネル１、１の上辺の折線からは、箱の上面側の第一のフラップ６、６が延設されている。この箱の上面側の第一のフラップ６、６の長さ（図１において左右の寸法）は側パネル１、１の幅より若干狭い。また箱の上面側の第一のフラップ６、６の高さ（図１において上下の寸法）は次に述べる箱の上面側の第二のフラップ７、７とほぼ同じである。
【００２２】
端パネル２、２の上辺の折線からは、箱の上面側の第二のフラップ７、７が延設されている。この箱の上面側の第二のフラップ７、７の長さ（図１において左右の寸法）は端パネル２、２の幅より若干狭く、またその高さ（図１において上下の寸法）は前記端パネル２、２の幅の１／２より低い。
【００２３】
前記の箱の上面側の第一のフラップ６、６の両側の形状はその第一のフラップ６、６の中心の縦方向の線を対称軸として対称である。第一のフラップ６、６の両側の折線を介して側パネル１、１に連なる基部の側辺は、折線に対して垂直に立ち上がり、さらに円弧の縁を介して横方向に開いたＶ字形の切込８、８に至る。この切込９、９の上側は尖った山形タブ状の突起９、９となっている。この突起９、９の頂点部分における第一のフラップ６、６の幅は、前記基部の側辺部分における幅より若干狭い。さらに、この突起９、９の上は斜め４５゜の勾配縁１２、１２となっており、この勾配縁１２、１２は前記側パネル１、１との折線と平行な第一のフラップ６、６の端縁と斜め４５゜の角度で連なっている。
【００２４】
前記の箱の上面側の第二のフラップ７、７の両側の形状もまた、その第二のフラップ７、７の中心の縦方向の線を対称軸として対称である。第二のフラップ７、７の両側の折線を介して端パネル２、２に連なる基部の側辺は、折線に対して垂直に立ち上がり、さらに円弧の縁を有するタブ状の突起１１、１１を介して上方向に開いたＶ字形の切込１０、１０に至る。この切込１０、１０の上側は斜め４５゜の勾配縁１３、１３となっており、この勾配縁１３、１３は前記端パネル２、２との折線と平行な第二のフラップ７、７の端縁と斜め４５゜の角度で連なっている。
【００２５】
このようなブランクから包装用箱は次のようにして組み立てられる。
まず、側パネル１、１、端パネル２、２及び接合フラップ３の間にある折線を何れも９０゜の角度で同じ方向に折り曲げる。さらに、接合フラップ３の外側面を端パネル２の端縁部の内面に当てて、接着、ステープル止め等の手段で固定する。これにより、側パネル１、１と端パネル２、２とで四角筒状の胴部が形成される。
【００２６】
次に、このようにして側パネル１、１と端パネル２、２とで四角筒状の胴部が形成された後、箱の上面を閉じる。
まず、図２に示すように、第二のフラップ７、７を箱の内側に折り曲げる。その後、図３と図４に示すように第一のフラップ６、６を箱の内側に折り曲げ、その両端部分を第二のフラップ７、７の両端部分に載せる。この状態では、第一のフラップ６、６の両側の切込８、８のＶ字形の頂点となる谷の部分と前記第二のフラップ７、７の切込１０、１０のＶ字形の頂点となる谷の部分とがほぼ同じ位置になるように前記切込８、８、１０、１０が予め形成されている。
【００２７】
次にこの状態で、図３に矢印で示すように、第一のフラップ６、６の端縁側を下に押し下げると、第二のフラップ７、７の先端縁側も押し下げられる。これにより、図５に示すように、第一のフラップ６、６の勾配縁１２、１２と第二のフラップ７、７の勾配縁１３、１３とが近づき、さらに合って、ついにはずれるため、第一のフラップ６、６の突起が第二のフラップ７、７の勾配縁１３、１３からその下に入る。その後、第一のフラップ６、６の押し下げていた力を除くと、第一のフラップ６、６と第二のフラップ７、７が自らの弾力で復元し、図６のような状態となる。
【００２８】
この図６に示された状態では、前記第一のフラップ６、６のＶ字形の切込８、８と第二のフラップ７、７のＶ字形の切込１０、１０とを互いに係合すると共に、前記第一のフラップ６、６のタブ状の突起９、９を第二のフラップ７、７の下に差し込まれ、且つ前記第二のフラップ７、７のタブ状の突起１１、１１を第一のフラップ６、６の下に差し込まれる。これより、前記第一のフラップ６、６と第二のフラップ７、７とがその両端において隣接する他のフラップ６、６、７、７と互いに固定され、上面の側パネル１、１と端パネル２、２の近い部分が一部閉じた状態となりる。この状態で箱の上面の中央部は開いている。
【００２９】
こうして箱の上面を閉じた後、この箱の上面を下側、つまり図６と天地を逆にした状態で、開いた箱の底面側から箱の中にネギやゴボウ等の収納物を収納する。箱の中に収納物を収納した状態では、前記第一のフラップ６、６と第二のフラップ７、７の突起９、９、１１、１１が収納物によって上から押さえられるため、それら第一のフラップ６、６と第二のフラップ７、７の両側部分の係合が簡単に外れることはない。
【００３０】
次に、箱の底面側を閉じるときは、まず箱の底面側の第二のフラップ５、５を箱の底面側に約９０゜の角度で折り曲げる。次に、箱の底面側の第一のフラップ４、４を９０゜の角度箱の内側に折り曲げて第二のフラップ５、５の上に重ねる。この状態で、第一のフラップ４、４を接着、ステープル止め、粘着テープ貼り付け等の適宜の手段で第二のフラップ５、５に固定する。これにより、箱の底面の封止が完了する。
収納物を出荷するに当たっては、箱の底面を下側、上面を上側する。この状態は、箱の上面の中央部が開いているので、ここから収納物を外観検査することが出来る。。
【００３１】
次に、包装用箱を開封するときは、箱の底面側を上にした状態で、その第一のフラップ６、６と第二のフラップ７、７とを順次起こし、箱の底面を開き、その中の収納物を取り出す。その後、箱の上面側を上向きにした状態で、図６に矢印で示すように、前記箱の上面側の第二のフラップ７、７の端縁側を下方に押し込み、第二のフラップ７、７を下側に折る。そうすると、第一のフラップ６、６の先端縁側も押し下げられため、図５に示すように、第二のフラップ７、７の勾配縁１３、１３と第一のフラップ６、６の勾配縁１２、１２とが近づき、さらに合ってついにはずれるため、第一のフラップ６、６の突起が第二のフラップ７、７の勾配縁１３、１３から外れて、第一のフラップ６、６が自らの弾力で復帰する。その後、第二のフラップ６、６の押し下げを停止し、その力を開放すると、第二のフラップ７、７も自らの弾力で復元し、図３と図４に示すように、前記のような第一のフラップ６、６と第二のフラップ７、７の係合状態が解除される。これにより、箱の上面または底面を開くことが出来る。
【００３２】
なお、、前述の例では前記のようにして、箱の上面を第一のフラップ６、６と第二のフラップ７、７の切込８、８、１０、１０と突起９、９、１１、１１との係合によって閉止状態を保持するようにしたが、必要に応じて底面側も或いは底面側のみを前記と同様にして第一のフラップ４、４と第二のフラップ５、５との閉止状態を保持する構成とすることも出来る。
【００３３】
また前述の例では、「第一のフラップ」と「第二のフラップ」のように、対向する２対のフラップを使い分ける用語を使用したが、それらは相対的な位置関係を示すものに過ぎない。便宜上対向する一方の対のフラップを「第一のフラップ」とし、対向する他方の対のフラップを「第二のフラップ」としたに過ぎない。
【００３４】
さらに、「側パネル」や「端パネル」のように、６面体の箱の側面と端面を使い分ける用語を使用したが、箱の側面と端面とは相対的な位置関係を示す用語で、対向する或る一対の縦の面を側面とすれば、それらの面と直交する対向する他の一対の縦の面が端面となるのに過ぎない。平面が正方形の箱体の場合を考えると明らかなように、立法体形の箱における側面と端面とは、対抗した一対ずつの縦の面を区別するのに意味があるのに過ぎない。
【００３５】
【発明の効果】
以上説明した通り、本発明による包装用箱では、接着剤、ステープル或いは粘着テープ等を使用せずに箱の上面または底面を開閉することが可能で、収納物の出荷時の検査や取引時の外観評価等を容易に行うことが出来る包装用箱を得ることが出来る。。
【図面の簡単な説明】
【図１】本発明による包装用箱の一実施形態を示すもので、包装用箱を組み立てるため段ボール等を裁断し、折れ線を入れた状態のブランクの展開図である。
【図２】同包装容器の実施形態において、側パネルと端パネルの端部を接合し、四角筒状の胴部を形成し、その上面を閉じるため、箱の上面側の第二のフラップを箱の上面側に倒した状態の斜視図である。
【図３】同包装容器の実施形態において、図２の状態からさらに一方の箱の上面側の第一のフラップを箱の上面側に倒した状態の斜視図である。
【図４】同包装容器の実施形態において、図３と同じ状態の平面図である。
【図５】同包装容器の実施形態において、図３の状態から矢印で示すように、第一のフラップの端縁を押し込んでいった状態の平面図である。
【図６】同包装容器の実施形態において、箱の上面側が閉じられた状態を示す斜視図である。
【符号の説明】
１　　側パネル
２　　端パネル
６　　箱の上面側の第一のフラップ
７　　箱の上面側の第二のフラップ
８　　箱の上面側の第一のフラップの切込
９　　箱の上面側の第一のフラップの突起
１０　箱の上面側の第一のフラップの切込
１１　箱の上面側の第二のフラップの切込
１２　箱の上面側の第一のフラップの勾配縁
１３　箱の上面側の第一のフラップの勾配縁
【図１】
2004042969.tif 000003
【図２】
2004042969.tif 000004
【図３】
2004042969.tif 000005
【図４】
2004042969.tif 000006
【図５】
2004042969.tif 000007
【図６】
2004042969.tif 000008